(57)【特許請求の範囲】
【請求項１】
交流電源を整流する整流回路と；
この整流回路の出力電力を所定の直流電力に変換する電力変換回路と；
前記整流回路の出力間電圧を検出する第１の電圧検出回路と；
前記電力変換回路の出力間に接続される光源の負荷電圧を検出する第２の電圧検出回路と；
前記電力変換回路から所定の直流電力が出力するように前記電力変換回路を制御するとともに、前記第１の電圧検出回路が検出した出力間電圧値および前記第２の電圧検出回路が検出した負荷電圧値が入力され、所定期間毎に前記出力間電圧値および前記負荷電圧値の合計電圧値に基づいて比較基準値を設定し、前記出力間電圧値が直前の前記比較基準値以上となるときに前記電力変換回路の制御を停止する制御回路と；
を具備していることを特徴とする点灯装置。
【請求項２】
前記整流回路の出力間には、前記整流回路の出力電圧を上回るバリスタ電圧を有するバリスタが接続されていることを特徴とする請求項１記載の点灯装置。
【請求項３】
光源としてのＬＥＤと；
このＬＥＤを配設する装置本体と；
前記ＬＥＤを点灯する請求項１または２記載の点灯装置と；
を具備していることを特徴とする照明装置。
【発明の詳細な説明】
【技術分野】
【０００１】
本発明の実施形態は、地絡等に対する保護機能を有する点灯装置およびこの点灯装置を備える照明装置に関する。
【背景技術】
【０００２】
照明装置は、光源としてＬＥＤ等の半導体発光素子が用いられており、例えば複数個のＬＥＤを基板に実装したＬＥＤモジュールを配設している。ＬＥＤモジュールは、リード線により点灯装置に接続されている。ＬＥＤは、点灯装置から所定の直流電流が供給されることにより点灯される。そして、点灯装置は、交流電源を直流電源に変換する整流回路（ＡＣ−ＤＣ変換回路）および当該直流電源から所定の直流電力を生成してＬＥＤに供給する電力変換回路（ＤＣ−ＤＣ変換回路）を有して形成されている。  
【０００３】
また、点灯装置には、雷サージ等の異常電圧から整流回路などを保護するためにバリスタ等の保護回路が設けられている。そのバリスタは、整流回路の入力端子間および出力端子間にそれぞれ設けられている（例えば特許文献1参照。）。バリスタは、例えば雷サージ印加時における整流回路の入力側および出力側の過電圧保護を担保している。  
【０００４】
また、点灯装置には、電力変換回路の出力側に地絡が発生したときに、その出力を停止するものがある。そして、地絡を電力変換回路の出力電圧のみで判定しようとすると誤判定が発生しやすいので、電力変換回路（直流電源回路）の後段側に地絡の有無を判定する地絡判定回路を設けているものがある（例えば特許文献２参照。）。
【先行技術文献】
【特許文献】
【０００５】
【特許文献１】特開２０１３−２１１１１９号公報（第６頁、第１図）
【特許文献２】ＷＯ２０１４／０６８９６６（第４頁、第１図）
【発明の概要】
【発明が解決しようとする課題】
【０００６】
電力変換回路の後段側において、地絡の有無を判定する地絡判定回路は、その構成が複雑であり、点灯装置をコストアップさせるという欠点を有する。
【０００７】
本実施形態は、簡易な構成により出力側の地絡を検出する点灯装置およびこの点灯装置を備える照明装置を提供することを目的とする。
【課題を解決するための手段】
【０００８】
本実施形態の点灯装置は、整流回路、電力変換回路、第１の電圧検出回路、第２の電圧検出回路および制御回路を有して構成される。整流回路は、交流電源を整流する。電力変換回路は、整流回路の出力電力を所定の直流電力に変換する。第１の電圧検出回路は、整流回路の出力間電圧を検出し、第２の電圧検出回路は、電力変換回路の出力間に接続される光源の負荷電圧を検出する。
【０００９】
制御回路は、電力変換回路から所定の直流電力が出力するように電力変換回路を制御する。制御回路には、第１の電圧検出回路が検出した出力間電圧値および第２の電圧検出回路が検出した負荷電圧値が入力される。そして、制御回路は、入力した出力間電圧値および負荷電圧値の合計電圧値を所定期間毎に算出し、その合計電圧値に基づいて比較基準値を設定する。そして、出力間電圧値が直前の比較基準値以上となるときに電力変換回路の制御を停止する。
【発明の効果】
【００１０】
本実施形態の点灯装置によれば、制御回路は、所定期間毎に入力した整流回路の出力間電圧値および光源の負荷電圧値の合計電圧値に基づいて比較基準値を設定し、出力間電圧値が直前の比較基準値以上となったときに地絡と判定して、電力変換回路の制御を停止するので、整流回路や電力変換回路を過電圧から保護できることが期待できる。
【図面の簡単な説明】
【００１１】
【図１】本発明の実施形態に示す点灯装置の概略回路図である。
【図２】同じく、照明装置を示し、（ａ）は概略斜視図、（ｂ）は一部切り欠き概略側面図である。
【発明を実施するための形態】
【００１２】
以下、本発明の一実施形態について、図面を参照して説明する。
【００１３】
本実施形態の点灯装置１は、図１に示すように、整流回路２、電力変換回路３、第１の電圧検出回路４、第２の電圧検出回路５、制御回路６、第１のバリスタ７および第２のバリスタ８を有して構成されている。点灯装置１は、その入力側が例えば商用交流電源Ｖｓに接続され、交流電源を入力する。整流回路２は、入力した交流電源を整流し、電力変換回路３は、整流回路２の出力電力を所定の直流電力に変換して出力するように形成されている。また、点灯装置１は、商用交流電源Ｖｓが１００Ｖ、２００Ｖ、２４２Ｖのいずれにも対応可能に形成されている。
【００１４】
整流回路２は、その入力端子２ａ，２ｂがフィルタ回路９をして商用交流電源Ｖｓに電気的に接続されており、入力した交流電源を整流し、出力端子２ｃ，２ｄから整流電圧（直流電圧）を出力する。整流回路２は、例えば４個の整流素子を組み合わせたダイオードブリッジの全波整流器である。なお、整流回路２は、半波整流器などでもよい。また、整流電圧は、全波整流された脈流でもよいし、半波整流された脈流でもよい。
【００１５】
フィルタ回路９は、例えば商用交流電源Ｖｓから供給される交流電圧（交流電力）に含まれるノイズを抑制するとともに、点灯装置１でのスイッチング動作によって発生するノイズが商用交流電源Ｖｓ側に流出するのを防止する。
【００１６】
そして、整流回路２の入力端子２ａ，２ｂ間に第１のバリスタ７が接続され、整流回路２の出力端子２ｃ，２ｄ間に第２のバリスタ８が接続されている。第１バリスタ７は、そのバリスタ電圧（動作電圧）が商用交流電源Ｖｓの交流電圧の電圧変動±１０％の最大値（ピーク値）よりも大きくなるように設定されている。また、第２のバリスタ８は、そのバリスタ電圧（動作電圧）が整流回路２の出力電圧（最大値）以上となるように設定されている。ここで、整流回路２の出力電圧（最大値）は、商用交流電源Ｖｓの交流電圧の電圧変動±１０％の最大値と同等である。したがって、本実施形態では、交流電圧（実効値）の１００Ｖ、２００Ｖ、２４２Ｖに対して、第１および第２のバリスタ７，８のバリスタ電圧は、例えば２２０Ｖ、４７０Ｖ、４７０Ｖとなっている。
【００１７】
第１のバリスタ７は、整流回路２の入力端子２ａ，２ｂ間の瞬時値電圧がバリスタ電圧以上になると導通する。これにより、整流回路２の入力端子２ａ，２ｂには、第１のバリスタ７のバリスタ電圧以上の瞬時電圧が入力されにくくなっている。また、第２のバリスタ８は、整流回路２の出力端子２ｃ，２ｄ間の瞬時値電圧がバリスタ電圧以上になると導通する。これにより、整流回路２の出力端子２ｃ，２ｄ間の電圧（瞬時値）が第２のバリスタ８のバリスタ電圧以下に抑制される。
【００１８】
そして、整流回路２の出力電圧（整流電圧）は、突入防止回路１０を介して電力変換回路３の入力端子３ａ，３ｂに入力される。突入防止回路１０は、整流回路２の高出力電位側に接続されている。突入防止回路１０は、商用交流電源Ｖｓの投入時に生じる突入電流を抑制するものであり、例えば、温度上昇に伴って抵抗値が低下するＮＴＣサーミスタなどが用いられている。
【００１９】
電力変換回路３は、力率改善回路１１および電力調整回路１２に形成されている。力率改善回路１１は、電源周波数の整数倍の高調波の発生を抑制した一定電圧を出力するように形成され、本実施形態では、昇圧チョッパ回路に形成されている。すなわち、力率改善回路１１は、整流回路２から出力された整流電圧（脈流電圧）を入力するインダクタＬ１および電界効果トランジスタＱ１の直列回路と、電界効果トランジスタＱ１に並列接続されたダイオードＤ１および平滑用コンデンサＣ１の直列回路を有してなる。
【００２０】
電界効果トランジスタＱ１は、制御回路６によりスイッチング動作が制御される。制御回路６は、整流回路２から出力された整流電圧（脈流電圧）を正弦波の半波波形に近づけるように電界効果トランジスタＱ１のスイッチング動作を制御することにより力率を改善する。そして、整流電圧は、ダイオードＤ１および平滑用コンデンサＣ１によって整流平滑される。平滑用コンデンサＣ１の両端間に一定の直流電圧が発生する。平滑用コンデンサＣ１は、直流電源となり、直流電圧（直流電力）を電力調整回路１２に入力する。
【００２１】
電力調整回路１２は、本実施形態では、降圧チョッパ回路に形成されている。すなわち、電力調整回路１２は、電界効果トランジスタＱ２およびダイオードＤ２の直列回路と、ダイオードＤ２の両端間に接続されたインダクタＬ２、コンデンサＣ２および抵抗Ｒ１の直列回路とを有してなり、電界効果トランジスタＱ２およびダイオードＤ２の直列回路の両端間に力率改善回路１１から直流電圧（直流電力）が入力される。
【００２２】
電界効果トランジスタＱ２の制御端子（ゲート）は、制御回路６に設けられた駆動回路１３に接続されている。駆動回路１３は、制御回路６の制御により駆動電圧を出力し、駆動電圧の出力を停止するように形成されている。この駆動電圧の出力および停止により、電界効果トランジスタＱ２は、スイッチング制御される。電界効果トランジスタＱ２は、コンデンサＣ２の両端間に所定の直流電圧が発生するようにスイッチング制御される。
【００２３】
コンデンサＣ２は、その高電位側が電力変換回路３の出力端子３ｃに接続され、その低電位側が出力端子３ｄに接続されている。電力変換回路３が変換（生成）した所定の直流電圧（直流電力）は、リード線１４ａ，１４ｂを介してＬＥＤモジュール１５の入力端子１５ａ，１５ｂに入力される。
【００２４】
ＬＥＤモジュール１５は、光源モジュールや発光モジュールとも称されており、不図示の基板に光源としての複数個のＬＥＤ１６が実装されている。複数個のＬＥＤ１６は、直列接続されて入力端子１５ａ，１５ｂに電気接続されている。入力端子１５ａは、ＬＥＤ１６の高電位側（アノード側）に接続され、入力端子１５ｂは、ＬＥＤ１６の低電位側（カソード側）に接続されている。
【００２５】
ＬＥＤモジュール１５は、入力端子１５ａ，１５ｂに直流電圧が入力すると、ＬＥＤ１６に直流電流が入力端子１５ａ側から入力端子１５ｂ側に流れる。ＬＥＤ１６は、点灯（発光）し、例えば白色光を放射する。このとき、入力端子１５ａ，１５ｂ間には、直列接続された複数個のＬＥＤ１６の順方向電圧Ｖｆが発生する。この順方向電圧Ｖｆは、光源であるＬＥＤ１６の負荷電圧となっている。なお、ＬＥＤモジュール１５は、複数個のＬＥＤ１６が複数列に設けられてもよく、直並列接続されて設けられてもよく、また、１個のＬＥＤ１６を設けるものであってもよい。
【００２６】
電力調整回路１２の抵抗Ｒ１は、ＬＥＤ１６に流れる直流電流を電圧降下によって検出する。すなわち、ＬＥＤ１６に流れる直流電流は、抵抗Ｒ１によって検出電圧に変換される。この検出電圧は、制御回路６に入力される。制御回路６は、ＬＥＤ１６に所定の直流電流が流れるように、すなわち、コンデンサＣ２の両端間に所定の直流電圧が発生するように、駆動回路１３を介して電界効果トランジスタＱ２をスイッチング制御する。
【００２７】
また、電力変換回路３には、力率改善回路１１の出力間に制御用電源回路１７が設けられている。制御用電源回路１７は、平滑用コンデンサＣ１に発生する直流電圧を制御回路６の動作電圧に変換して制御回路６に供給するように形成されている。制御回路６は、制御用電源回路１７からの電力供給に応じて動作する。
【００２８】
第１の電圧検出回路４は、整流回路２の出力間電圧を検出するものである。第１の電圧検出回路４は、整流回路２の出力端子２ｃ，２ｄ間に第２のバリスタ８と並列接続するように接続された例えば２個の抵抗の直列回路を有してなり、抵抗に発生した電圧を整流回路２の出力間電圧として制御回路６に入力するように形成されている。
【００２９】
第２の電圧検出回路５は、直列接続されたＬＥＤ１６の両端間電圧、すなわちＬＥＤ１６の負荷電圧を検出するものである。第２の電圧検出回路５は、電力変換回路３の出力端子３ｃ，３ｄ間に接続された例えば２個の抵抗の直列回路を有してなり、その抵抗に発生した電圧をＬＥＤ１６の負荷電圧として制御回路６に入力するように形成されている。
【００３０】
制御回路６は、不図示のマイコンや記憶部などを有して形成されている。本実施形態では、制御回路６には、点灯装置１の製造時などにおいて、ＬＥＤ１６に流れる直流電流の検出値と比較する目標値が設定されており、この目標値を記憶部やプログラムなどに設けている。そして、制御回路６は、電力調整回路１２の抵抗Ｒ１が検出する検出電圧（検出値）が目標値となるように駆動回路１３を介して電界効果トランジスタＱ２をスイッチング制御するように形成されている。すなわち、制御回路６は、電力変換回路３から所定の直流電力が出力するように電力変換回路３を制御する。
【００３１】
また、制御回路６は、第１の電圧検出回路４が検出した整流回路２の出力間電圧値を入力し、第２の電圧検出回路５が検出したＬＥＤ１６の負荷電圧値を入力している。そして、制御回路６は、入力した出力電圧値および負荷電圧値の合計電圧値を所定期間毎に算出し、その合計電圧値に基づいて比較基準値を設定し、出力間電圧値が直前の比較基準値以上になると、電力変換回路３の制御を停止するように形成されている。ここで、所定期間は、例えば１秒とすることができるが、これに限らず所望に設定されればよいものである。また、比較基準値は、前記合計電圧値と、例えば第２のバリスタ８のバリスタ電圧との間に所望に設定される。また、制御回路６が電力変換回路３の制御を停止する手段としては、例えば制御用電源回路１７からの制御回路６への電源供給を停止させることが挙げられる。
【００３２】
図２は、本実施形態の照明装置２１を示す。なお、図２において、図１と同一部分には同一符号を付して説明は省略する。照明装置２１は、天井面に直付けされるシーリングライトであり、図２（ｂ）に示すように、装置本体２２、ＬＥＤモジュール１５および点灯装置１を有して構成されている。装置本体２２は、例えば冷間圧延鋼板によって、４辺に背丈の低い起立部２２ａを有する長方形の板状に形成されている。そして、装置本体２２は、図２（ａ）に示すように、短手方向中央部に長手方向に亘ってＶカバー２４を配設し、このＶカバー２４の両側に長手方向に亘って透光性カバー２５を配設している。
【００３３】
Ｖカバー２４は、薄鋼板により略Ｖ形の筒状に形成され、外表面２４ａが白色に形成されている。また、透光性カバー２５は、例えば透光性のポリカーボネート（ＰＣ）樹脂により略凹形の筒状に形成され、白色化されている。透光性カバー２５は、低い拡散性を有する。Ｖカバー２４の長手方向両端は、装置本体２２に起立して設けられた端板２６，２６により塞がれ、透光性カバー２５の長手方向両端には、キャップ２７，２７が取り付けられている。端板２６は、薄鋼板により形成され、キャップ２７は、ポリカーボネート（ＰＣ）樹脂により形成されている。  
【００３４】
ＬＥＤモジュール１５は、図２（ｂ）に示すように、透光性カバー２５内において、装置本体２２に固定されている取付け板２８に不図示のねじにより取り付けられている。各透光性カバー２５内には、複数個例えば４個のＬＥＤモジュール１５が設けられている。ＬＥＤモジュール１５は、基板２９に複数個のＬＥＤ１６が２列に設けられ、列毎に直列接続されている。そして、ＬＥＤモジュール１５は、不図示のリード線１４ａ，１４ｂにより点灯装置１に接続されている。  
【００３５】
点灯装置１は、Ｖカバー２４内において、装置本体２２にねじにより着脱可能に取り付けられている。そして、点灯装置１は、不図示の入力線が外部の商用交流電源Ｖｓに接続されている。
【００３６】
次に、本実施形態の作用について説明する。
【００３７】
照明装置２１は、商用交流電源Ｖｓが投入されると、点灯装置１が動作し、点灯装置１から所定の直流電流がＬＥＤモジュール１５に供給される。ＬＥＤ１６は、点灯し、例えば白色光を放射する。白色光は、透光性カバー２５を透過して、床面側の空間を照明する。
【００３８】
そして、点灯装置１の制御回路６には、第１の電圧検出回路４が検出した出力間電圧値と、第２の電圧検出回路５が検出した負荷電圧値が入力される。制御回路６は、所定期間例えば１秒毎に、入力した出力電圧値および負荷電圧値の合計電圧値Ｖｇを算出して、その合計電圧値Ｖｇを下回り、例えば第２のバリスタ８のバリスタ電圧値を上回る電圧の範囲で、比較基準値を設定する。比較基準値は、例えば前記合計電圧値Ｖｇの８０％とすることができる。そして、制御回路６は、設定した比較基準値を記憶部に上書きして記憶させている。
【００３９】
点灯装置１は、例えば落雷があると、電源ラインに雷サージが重畳する。整流回路２の入力端子２ａ，２ｂ間は、商用交流電源Ｖｓの交流電圧例えばＡＣ１００Ｖにサージ電圧が重畳し、整流回路２の出力端子２ｃ，２ｄ間は、整流回路２の出力電圧（整流電圧）にサージ電圧が重畳する。
【００４０】
整流回路２の入力端子２ａ，２ｂ間に接続された第１のバリスタ７および出力端子２ｃ，２ｄ間に接続された第２のバリスタ８は、そのバリスタ電圧例えば２２０Ｖ以上のサージ電圧が印加されると導通する。整流回路２には、第１および第２のバリスタ７，８のバリスタ電圧を超えるサージ電圧が印加されにくくなる。すなわち、整流回路２および電力変換回路３等は、過度のサージ電圧が印加されなくなり、雷サージ等から保護される。
【００４１】
また、点灯装置１は、例えば電力変換回路３の出力端子３ｃ側が地絡することがある。すなわち、照明装置２１において、点灯装置１の交換など、装置本体２２に点灯装置１を取り付けることがある。点灯装置１を取り付けた後、電力変換回路３の出力端子３ｃ，３ｄとＬＥＤモジュール１５の入力端子１５ａ，１５ｂは、リード線１４ａ，１４ｂにより電気接続される。このとき、電力変換回路３の出力端子３ｃまたはＬＥＤモジュール１５の入力端子１５ａに金属細線などの外部導体が不本意に接触して保持されることがある。また、リード線１４ａの被覆を傷つかせて、リード線１４ａの基線（裸線）が露出することがある。装置本体２２は、接地されているので、外部導体やリード線１４ａの基線が装置本体２２に接触すると、電力変換回路３の出力端子３ｃ側が地絡する。すなわち、電力変換回路３の高出力電位側が地絡する。
【００４２】
電力変換回路３の出力端子３ｃ側が地絡した状態で、点灯装置１に商用交流電源Ｖｓが投入されると、整流回路２の出力端子２ｃ，２ｄ間には、整流回路２の出力電圧とＬＥＤモジュール１５の入力端子１５ａ，１５ｂ間の電圧、すなわち直列接続された複数個のＬＥＤ１６の順方向電圧Ｖｆとの合計電圧が発生する。この合計電圧は、第１の電圧検出回路４により検出されて制御回路６に入力される。制御回路６は、入力された合計電圧値Ｖｇと直前の比較基準値とを比較する。直前の比較基準値は、記憶部に記憶されている。合計電圧値Ｖｇは、比較基準値以上であるので、制御回路６は、出力間電圧値が直前の比較基準値以上であると判定する。
【００４３】
また、電力変換回路３の出力端子３ｃ，３ｄ間の電圧、すなわちＬＥＤ１６の負荷電圧は、定格値よりも大きく上昇する。すなわち、リード線１４ａ側が地絡すると、リード線１４ａ側は、装置本体を介して商用交流電源Ｖｓのアース側に電気的に接続される。これにより、電力変換回路３の出力電流は、商用交流電源Ｖｓのアース側の電流経路と、ＬＥＤモジュール１５および電力調整回路１２の抵抗Ｒ１の電流経路とに分流し、抵抗Ｒ１に流れる直流電流が減少する。
【００４４】
制御回路６は、抵抗Ｒ１に流れる直流電流が所定の直流電流となるように電力調整回路１２の電界効果トランジスタＱ２をスイッチング制御するので、抵抗Ｒ１に流れる直流電流が減少した分、電力変換回路３の出力電圧を上昇させる。これにより、出力端子３ｃ，３ｄ間の電圧は、地絡の程度が大きいと、定格値よりも大きく上昇する。また、リード線１４ｂ側が地絡しても同様である。
【００４５】
制御回路６は、入力した出力電圧値（合計電圧値Ｖｇ）が直前の比較基準値以上になると、例えば制御用電源回路１７を制御して、制御用電源回路１７から制御回路６への電力供給を停止させる。これにより、制御回路６は、電力変換回路３の電界効果トランジスタＱ１，Ｑ２をスイッチング動作させる駆動電圧を供給できなくなり、電界効果トランジスタＱ１，Ｑ２がオフする。
【００４６】
電界効果トランジスタＱ１，Ｑ２がオフすると、電力変換回路３から出力電圧が出力されなくなり、ＬＥＤ１６が消灯し、制御回路２および電力変換回路３に高電圧が印加されなくなる。これにより、点灯装置１の破壊が防止される。そして、商用交流電源Ｖｓの投入にも係わらず、ＬＥＤ１６が点灯しないことにより、異常が報知される。なお、ＬＥＤ１６が点灯しているときに、電力変換回路３の出力端子３ｃ側が地絡しても上述した通りである。
【００４７】
こうして、点灯装置１は、第１および第２の電圧検出回路４，５を備えて、制御回路６は、所定期間例えば１秒毎に、出力間電圧値および負荷電圧値の合計電圧値Ｖｇに基づいて比較基準値を設定し、出力間電圧値が直前の比較基準値以上になったときに地絡が発生したとするので、出力側に地絡判定回路を設ける必要がなく、簡易な構成で出力側の地絡を検出できるものである。
【００４８】
本実施形態の点灯装置１によれば、制御回路６は、所定期間毎に整流回路２の出力間電圧値およびＬＥＤ１６の負荷電圧値の合計電圧値Ｖｇに基づいて比較基準値を設定し、整流回路２の出力間電圧値が直前の比較基準値以上となったときに地絡と判定して、電力変換回路３の制御を停止するので、簡易な構成で整流回路２や電力変換回路３を地絡による過電圧から保護することができ、これにより、地絡を取り除くことにより、点灯装置１を継続して使用できるという効果を有する。
【００４９】
また、整流回路２の入力端子２ａ，２ｂ間には、第１のバリスタ７が接続され、出力端子２ｃ，２ｄ間には、第２のバリスタ８が接続されているので、雷サージ等のサージ電圧に対する保護を好適に行うことができる。
【００５０】
また、本実施形態の照明装置２１によれば、高出力電位側が地絡しても破壊を防止可能な点灯装置１を具備するので、地絡を取り除くことにより、継続して使用することができるという効果を有する。
【００５１】
なお、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５２】
１…点灯装置、  ２…整流回路、  ３…電力変換回路、  ４…第１の電圧検出回路、  ５…第２の電圧検出回路、  ６…制御回路、  ８…バリスタとしての第２のバリスタ、  １６…光源としてのＬＥＤ、  ２１…照明装置、  ２２…装置本体
【図１】
0006555642.tif 000002
【図２】
0006555642.tif 000003